【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
遊技場に設置される複数の遊技装置と、前記遊技装置から遊技情報を収集する複数の情報収集端末装置と、前記複数の情報収集端末装置と通信し、前記複数の情報収集端末装置によって収集された遊技情報を集計する遊技場内部管理装置とを備える遊技システムにおいて、
前記情報収集端末装置には、前記遊技情報を収集する遊技装置に予め定められた台番号が台番号設定手段によって設定され、
前記遊技場内部管理装置は、
前記情報収集端末装置の処理を指令する指令パケットに、処理を実行させる情報収集端末装置に設定された台番号を含め、
処理を実行させる情報収集端末装置の数に拘らず前記指令パケットをブロードキャストで送信し、
前記情報収集端末装置は、
前記指令パケットを受信した場合、前記受信した指令パケットに含まれる台番号と前記台番号設定手段によって設定された台番号が一致するか否かを判定し、
前記受信した指令パケットに含まれる台番号と台番号設定手段を介して設定された台番号とが一致する場合に、前記受信した指令パケットで指定された処理を実行することを特徴とする遊技システム。
【請求項２】
前記遊技場内部管理装置は、一の台番号の前記情報収集端末装置に予め設定されるＭＡＣアドレスを取得するＭＡＣアドレス取得指令を前記指令パケットとして送信し、
前記情報収集端末装置は、前記ＭＡＣアドレス取得指令情報を受信し、前記受信した指令パケットに含まれる台番号と台番号設定手段によって設定された台番号とが一致する場合に、前記情報収集端末装置に設定された台番号及び前記情報収集端末装置のＭＡＣアドレスを含む返信パケットを送信し、
前記遊技場内部管理装置は、前記返信パケットを受信した場合、前記情報収集端末装置に設定された台番号と前記情報収集端末装置のＭＡＣアドレスとを関連付けて記憶することを特徴とする請求項１に記載の遊技システム。
【請求項３】
前記遊技場内部管理装置は、前記一の台番号の情報収集端末装置へのＭＡＣアドレス取得指令に対して、複数の返信パケットを受信した場合、前記一の台番号が複数の情報収集端末装置に重複して設定されていることを報知することを特徴とする請求項２に記載の遊技システム。
【請求項４】
前記情報収集端末装置は、前記遊技場内部管理装置からの表示指令に基づいて表示状態が変化する表示手段を備え、
前記遊技場内部管理装置は、前記一の台番号が重複して設定されている複数の情報収集端末装置に備わる前記表示手段に、前記一の台番号が複数の情報収集端末装置に重複して設定されている旨を表示させる表示指令を前記指令パケットとして送信することを特徴とする請求項３に記載の遊技システム。
【請求項５】
前記遊技場内部管理装置は、前記ＭＡＣアドレス取得指令に対する返信パケットを受信しない場合に、前記情報収集端末装置が前記遊技場内部管理装置との通信が不可能になっていることを報知することを特徴とする請求項４に記載の遊技システム。
【請求項６】
前記遊技場内部管理装置は、予め設定されたすべての台番号と各情報収集端末装置のＭＡＣアドレスとを関連付けて記憶した後に、前記情報収集端末装置に前記指令パケットを送信する場合には、当該指令パケットに前記ＭＡＣアドレスを含めて送信し、
前記情報収集端末装置は、前記指令パケットに前記ＭＡＣアドレスが含まれる場合に、前記指令パケットに含まれるＭＡＣアドレスと予め設定されているＭＡＣアドレスとが一致するか否かを判定し、
前記指令パケットに含まれるＭＡＣアドレスと前記情報収集端末装置に設定されているＭＡＣアドレスとが一致する場合に、前記受信した指令パケットに含まれる台番号と台番号設定手段によって設定された台番号とが一致するか否かを判定せずに、前記受信した指令パケットで指定された処理を実行することを特徴とする請求項１から請求項５に記載の遊技システム。
【請求項７】
前記情報収集端末装置は、前記遊技場内部管理装置からの表示指令に基づいて表示状態が変化する表示手段を備え、
前記遊技場内部管理装置は、予め設定されたすべての台番号と各情報収集端末装置のＭＡＣアドレスとを関連付けて記憶した後に、前記台番号の予め定められた順序にしたがって、前記情報収集端末装置の表示手段の表示状態を変化させる点灯指令を前記指令パケットとして送信することを特徴とする請求項６に記載の遊技システム。
【手続補正２】
【補正対象書類名】明細書
【補正対象項目名】０００８
【補正方法】変更
【補正の内容】
【０００８】
第１の発明は、遊技場に設置される複数の遊技装置と、前記遊技装置から遊技情報を収集する複数の情報収集端末装置と、前記複数の情報収集端末装置と通信し、前記複数の情報収集端末装置によって収集された遊技情報を集計する遊技場内部管理装置とを備える遊技システムにおいて、前記情報収集端末装置には、前記遊技情報を収集する遊技装置に予め定められた台番号が台番号設定手段によって設定され、前記遊技場内部管理装置は、前記情報収集端末装置の処理を指令する指令パケットに、処理を実行させる情報収集端末装置に設定された台番号を含め、処理を実行させる情報収集端末装置の数に拘らず前記指令パケットをブロードキャストで送信し、前記情報収集端末装置は、前記指令パケットを受信した場合、前記受信した指令パケットに含まれる台番号と前記台番号設定手段によって設定された台番号が一致するか否かを判定し、前記受信した指令パケットに含まれる台番号と台番号設定手段を介して設定された台番号とが一致する場合に、前記受信した指令パケットで指定された処理を実行することを特徴とする。
【手続補正３】
【補正対象書類名】明細書
【補正対象項目名】０００９
【補正方法】変更
【補正の内容】
【０００９】
第２の発明は、第１の発明において前記遊技場内部管理装置は、一の台番号の前記情報収集端末装置に予め設定されるＭＡＣアドレスを取得するＭＡＣアドレス取得指令を前記指令パケットとして送信し、前記情報収集端末装置は、前記ＭＡＣアドレス取得指令情報を受信し、前記受信した指令パケットに含まれる台番号と台番号設定手段によって設定された台番号とが一致する場合に、前記情報収集端末装置に設定された台番号及び前記情報収集端末装置のＭＡＣアドレスを含む返信パケットを送信し、前記遊技場内部管理装置は、前記返信パケットを受信した場合、前記情報収集端末装置に設定された台番号と前記情報収集端末装置のＭＡＣアドレスとを関連付けて記憶することを特徴とする。
【手続補正４】
【補正対象書類名】明細書
【補正対象項目名】００１２
【補正方法】変更
【補正の内容】
【００１２】
第５の発明は、第４の発明において、前記遊技場内部管理装置は、前記ＭＡＣアドレス取得指令に対する返信パケットを受信しない場合に、前記情報収集端末装置が前記遊技場内部管理装置との通信が不可能になっていることを報知することを特徴とする。
【手続補正５】
【補正対象書類名】明細書
【補正対象項目名】００１３
【補正方法】変更
【補正の内容】
【００１３】
第６の発明は、第１から第５の発明において、前記遊技場内部管理装置は、予め設定されたすべての台番号と各情報収集端末装置のＭＡＣアドレスとを関連付けて記憶した後に、前記情報収集端末装置に前記指令パケットを送信する場合には、当該指令パケットに前記ＭＡＣアドレスを含めて送信し、前記情報収集端末装置は、前記指令パケットに前記ＭＡＣアドレスが含まれる場合に、前記指令パケットに含まれるＭＡＣアドレスと予め設定されているＭＡＣアドレスとが一致するか否かを判定し、前記指令パケットに含まれるＭＡＣアドレスと前記情報収集端末装置に設定されているＭＡＣアドレスとが一致する場合に、前記受信した指令パケットに含まれる台番号と台番号設定手段によって設定された台番号とが一致するか否かを判定せずに、前記受信した指令パケットで指定された処理を実行することを特徴とする。
【手続補正６】
【補正対象書類名】明細書
【補正対象項目名】００１４
【補正方法】変更
【補正の内容】
【００１４】
第７の発明は、第６の発明において、前記情報収集端末装置は、前記遊技場内部管理装置からの表示指令に基づいて表示状態が変化する表示手段を備え、前記遊技場内部管理装置は、予め設定されたすべての台番号と各情報収集端末装置のＭＡＣアドレスとを関連付けて記憶した後に、前記台番号の予め定められた順序にしたがって、前記情報収集端末装置の表示手段の表示状態を変化させる点灯指令を前記指令パケットとして送信することを特徴とする。
【手続補正７】
【補正対象書類名】明細書
【補正対象項目名】００２０
【補正方法】変更
【補正の内容】
【００２０】
第６の発明によれば、予め設定されたすべての台番号と各情報収集端末装置のＭＡＣアドレスとを関連付けて記憶した後、指令情報パケットにＭＡＣアドレスを含めて送信するので、台番号設定スイッチの故障等が原因で情報収集端末装置に設定された台番号が不意に変更したとしても、正常に指令情報が伝達される。
【手続補正８】
【補正対象書類名】明細書
【補正対象項目名】００２１
【補正方法】変更
【補正の内容】
【００２１】
第７の発明によれば、予め設定されたすべての台番号と各情報収集端末装置のＭＡＣアドレスとを関連付けて記憶した後、台番号の順序と実際の情報収集端末装置の順序のずれが発生する場合もあるので、台番号の所定の順序で情報収集端末装置の表示手段を点灯させるので、台番号のずれを発見でき、適切な処置を行うことができる。